【手続補正書】
【提出日】平成18年2月13日(2006.2.13)
【手続補正１】
【補正対象書類名】明細書
【補正対象項目名】発明の名称
【補正方法】変更
【補正の内容】
【発明の名称】画像処理装置、画像処理方法、印刷制御装置、印刷制御方法、プログラム
【手続補正２】
【補正対象書類名】明細書
【補正対象項目名】特許請求の範囲
【補正方法】変更
【補正の内容】
【特許請求の範囲】
【請求項１】  複数の画像データに対して個別の補正量を決定する補正量決定手段と、
前記個別の補正量に基づき、前記画像データに補正を行う補正手段と、
を具備し、
前記補正量決定手段が前記複数の画像データの全部について、前記補正量の決定を完了しない状態で、前記補正手段は、個別に決定済みの前記補正量による補正を行う事を特徴とする画像処理装置。
【請求項２】  前記補正量決定手段は、前記画像データの内容を個別に解析する解析手段を含むことを特徴とする請求項１に記載の画像処理装置。
【請求項３】  前記解析手段は、少なくとも、画像データの明度ヒストグラム、または、ハイライトポイントとシャドウポイントとの色差の解析を行うことを特徴とする請求項２に記載の画像処理装置。
【請求項４】  更に、前記補正手段によって補正された画像データを印刷装置に出力する出力手段を有することを特徴とする請求項１ないし３のいずれか一項に記載の画像処理装置。
【請求項５】  前記印刷装置は画像データを点順次に印刷する装置であり、主走査方向に配置する画像データに対する前記補正量が決まったことに応じて、前記補正手段は前記主走査方向に配置する画像の補正を行い、前記出力手段は前記補正手段で補正された画像データを出力し、
前記印刷装置が前記出力手段によって出力された画像データを印刷している間に、前記補正量決定手段が、次に出力すべき画像に対して補正量決定するための処理を開始することを特徴とする請求項４に記載の画像処理装置。
【請求項６】  前記印刷装置は、１枚の用紙に前記複数の画像を印刷することを特徴とする請求項４ないし５いずれか一項に記載の画像処理装置。
【請求項７】  前記印刷装置はインクジェット方式のプリンタであることを特徴とする請求項４ないし６のいずれか一項に記載の画像処理装置。
【請求項８】  前記補正量決定手段は、ＤＳＰ（ｄｉｇｉｔａｌ  ｓｉｇｎａｌ  ｐｒｏｃｅｓｓｏｒ）を含むことを特徴とする請求項１ないし７のいずれか一項に記載の画像処理装置。
【請求項９】  複数の画像データに対して個別の補正量を決定する補正量決定工程と、
前記個別の補正量に基づき、前記画像データに補正を行う補正工程と、
を具備し、
前記補正量決定工程で前記複数の画像データの全部について、前記補正量の決定を完了しない状態で、前記補正工程は、個別に決定済みの前記補正量による補正を行う事を特徴とする画像処理方法。
【請求項１０】  前記補正量決定工程は、前記画像データの内容を個別に解析する解析工程を含むことを特徴とする請求項９に記載の画像処理方法。
【請求項１１】  前記解析工程は、少なくとも、画像データの明度ヒストグラム、または、ハイライトポイントとシャドウポイントとの色差の解析を行うことを特徴とする請求項１０に記載の画像処理方法。
【請求項１２】  更に、前記補正工程によって補正された画像データを印刷装置に出力する出力工程を有することを特徴とする請求項９ないし１１のいずれか一項に記載の画像処理方法。
【請求項１３】  前記印刷装置は画像データを点順次に印刷する装置であり、主走査方向に配置する画像データに対する前記補正量が決まったことに応じて、前記補正工程は前記主走査方向に配置する画像の補正を行い、前記出力工程は前記補正工程で補正された画像データを出力し、
前記印刷装置が前記出力工程によって出力された画像データを印刷している間に、前記補正量決定工程により、次に出力すべき画像に対して補正量決定するための処理を開始することを特徴とする請求項１２に記載の画像処理方法。
【請求項１４】  前記印刷装置は、１枚の用紙に前記複数の画像を印刷することを特徴とする請求項１２ないし１３いずれか一項に記載の画像処理方法。
【請求項１５】  前記印刷装置はインクジェット方式のプリンタであることを特徴とする請求項１２ないし１４のいずれか一項に記載の画像処理装置。
【請求項１６】  前記補正量決定工程は、ＤＳＰ（ｄｉｇｉｔａｌ  ｓｉｇｎａｌ  ｐｒｏｃｅｓｓｏｒ）二より制御されること特徴とする請求項９ないし１５のいずれか一項に記載の画像処理方法。
【請求項１７】  請求項９から１６のいずれか一項の画像処理方法を、コンピュータに実行するためのプログラムを記憶している記憶媒体。
【請求項１８】  １枚の用紙に複数の画像をプリントするための印刷制御装置であって、
前記複数の画像のうちの少なくともいずれかの画像を順次入力する入力手段、
前記入力手段で入力された画像を解析して、補正量を出力する解析手段と、
前記解析手段で出力された補正量にしたがって、画像を補正する画像処理手段と、
前記解析手段が、１枚の用紙に印刷すべき次の画像の解析を実際に完了する前に、前記画像処理手段で補正された画像を印刷させる印刷制御手段とを有することを特徴とする印刷制御装置。
【請求項１９】  更に外部機器と通信するインターフェースを有することを特徴とする請求項１８に記載の印刷制御装置。
【請求項２０】  前記外部機器はデジタルカメラであることを特徴とする請求項１８に記載の印刷制御装置。
【請求項２１】  さらに、インクジェット方式のプリント部を有し、
前記入力手段は、前記用紙に印刷する際に、プリントヘッドの主走査方向に配置する画像の枚数ごとに画像を入力することを特徴とする請求項１８ないし２０のいずれか１項に記載の印刷制御装置。
【請求項２２】  前記画像処理手段は、入力された画像を印刷用データに変換する処理を含むことを特徴とする請求項１８ないし２１のいずれか１項に記載の印刷制御装置。
【請求項２３】  前記用紙に対して、プリントヘッドの副走査方向に複数枚の画像を配置する場合に、
前記印刷制御手段は、前記解析手段が、１枚の用紙中の前記副走査方向に対して配置すべき次の画像の解析を完了する前に、前記画像処理手段で補正された画像を印刷させることを特徴とする請求項１８ないし２２のいずれか１項に記載の印刷制御装置。
【請求項２４】  １枚の用紙に複数の画像をプリントするための印刷制御方法であって、
前記複数の画像のうちの少なくともいずれかの画像を順次入力する入力工程、
前記入力工程で入力された画像を解析して、補正量を出力する解析工程と、
前記解析工程で出力された補正量にしたがって、画像を補正する画像処理工程と、
前記解析工程が、１枚の用紙に印刷すべき次の画像の解析を実際に完了する前に、前記画像処理工程で補正された画像を印刷させる印刷制御工程とを有することを特徴とする印刷制御方法。
【請求項２５】  さらに、インクジェット方式のプリント部を有し、
前記入力工程は、前記用紙に印刷する際に、インクジェット方式のプリント部のプリントヘッドの主走査方向に配置する画像の枚数ごとに画像を入力することを特徴とする請求項２４に記載の印刷制御方法。
【請求項２６】  前記画像処理工程は、入力された画像を印刷用データに変換する処理を含むことを特徴とする請求項２４ないし２５のいずれか１項に記載の印刷制御方法。
【請求項２７】  前記用紙に対して、プリントヘッドの副走査方向に複数枚の画像を配置する場合に、
前記印刷制御工程は、前記解析工程で、１枚の用紙中の前記副走査方向に対して配置すべき次の画像の解析を完了する前に、前記画像処理工程で補正された画像を印刷させることを特徴とする請求項２４ないし２６のいずれか１項に記載の印刷制御方法。
【請求項２８】  請求項２４から２７のいずれか一項の印刷制御方法を、コンピュータに実行するためのプログラムを記憶している記憶媒体。